(57)【要約】【課題】親機とコードレス通話機の双方から着信音が鳴動される状態にあっても、親機とコードレス通話機との位置関係に応じて何れか一方からの鳴動を規制することができるコードレス電話機を提供する。【解決手段】電話回線Ｌに接続される親機と、親機と無線通信する機能を有し且つ親機に着脱可能に載置されるコードレス通話機とを備え、親機とコードレス通話機の双方に設けられて電話回線Ｌから着信があった場合には着信音が鳴動するスピーカ１４と、コードレス通話機が親機に載置されていることを検出する検出部１７と、検出部１７がコードレス通話機の載置を検出している状態では親機とコードレス通話機の何れか一方のスピーカ１４からの着信音の鳴動を停止する制御回路１１とを備えている。【選択図】      図１
2006080605.tif 000002
【特許請求の範囲】
【請求項１】
電話回線に接続される親機と、該親機と無線通信する機能を有し且つ前記親機に着脱可能に載置されるコードレス通話機とを備えたコードレス電話機において、
前記親機と前記コードレス通話機の双方に設けられて電話回線から着信があった場合には着信音が鳴動するスピーカと、前記コードレス通話機が前記親機に載置されていることを検出する検出部と、該検出部が前記コードレス通話機の載置を検出している状態では前記親機と前記コードレス通話機の何れか一方の前記スピーカからの着信音の鳴動を停止する制御部と、を備えていることを特徴とするコードレス電話機。
【請求項２】
前記コードレス通話機は前記親機に接続することで充電される二次電池を備え、前記検出部は前記二次電池への充電接続状態を検出することを特徴とする請求項１に記載のコードレス電話機。
【請求項３】
電話回線に接続される親機と、該親機と無線通信する機能を有するコードレス通話機とを備えたコードレス電話機において、
前記親機と前記コードレス通話機の双方に設けられて電話回線から着信があった場合には着信音が鳴動するスピーカと、前記コードレス通話機が前記親機の近傍に位置していることを検出する検出部と、該検出部が前記コードレス通話機を検出している状態では前記親機と前記コードレス通話機の何れか一方の前記スピーカからの着信音の鳴動を停止する制御部と、を備えていることを特徴とするコードレス電話機。
【発明の詳細な説明】
【技術分野】
【０００１】
本発明は、コードレス電話機、特に電話回線に接続される親機と、この親機と無線通信する機能を有し且つ前記親機に着脱可能に載置されるコードレス通話機とを備えたコードレス電話機に関する。
【背景技術】
【０００２】
近年の電話機では、着信音の音質を複数の中から選択して設定できるものが多く、ベル音のみならずメロディを着信音として出力することができるものが多い。
【０００３】
また、親機と、この親機と無線通信可能な１台以上の子機（コードレス通話機）とを備えたコードレス電話機においては、その親機と子機とは独立して着信音の音質やメロディを設定（以下、単に「着信音の設定」とする）することができるようになっているものが周知である。さらに、このような親機と子機とを備えたコードレス電話機には、これら親機や子機による着信音の鳴動を時間帯によって規制制御するようにしたもの（例えば、特許文献１参照。）も知られている。
【０００４】
一方、近年のコードレス電話機には、所謂ワンルームマンション等の利用者のように、比較的狭い居住空間内で使用するために子機を不要とする反面、携帯電話のような移動性を具備させるため、図５に示すように、親機１に着脱可能に載置された受話器がコードレスなコードレス通話機２となっていると共に、このコードレス通話機２の着信音の設定を親機１とは独立して行うことができるようになっているものもある。
【０００５】
これにより、例えば、親機１から離れた浴室等を利用している場合であっても、コードレス通話機２を親機１から離して浴室付近にまで移動させていれば、たとえ、親機１からの着信音が聞こえなくてもコードレス通話機２からの着信音により着呼を認識することができるという子機的な利便性を確保することができる。
【特許文献１】特開平５−３５０９号公報
【発明の開示】
【発明が解決しようとする課題】
【０００６】
ところで、上記の如く構成されたコードレス電話機にあっては、親機と子機とが接近した位置にある場合や親機１にコードレス通話機２が載置されている場合、親機と子機或いは親機１とコードレス通話機２の着信音の設定が異なっている状態で電話回線からの着信があると、親機と子機或いは親機１とコードレス通話機２の双方から着信音が鳴動して騒がしいという問題が生じていた。
【０００７】
同様に、親機と子機とが接近した位置にある場合や親機１にコードレス通話機２が載置されている場合、親機と子機或いは親機１とコードレス通話機２の着信音の設定が同じである状態で電話回線からの着信があると、親機と子機或いは親機１とコードレス通話機２の双方から着信音に同期がとれていないために同一着信音にズレが発生し、違和感が生じるという問題が生じていた。
【０００８】
そこで、本発明は、上記事情を考慮し、親機とコードレス通話機の双方から着信音が鳴動される状態にあっても、親機とコードレス通話機との位置関係に応じて何れか一方からの鳴動を規制することができるコードレス電話機を提供することを目的とする。
【課題を解決するための手段】
【０００９】
請求項１に記載のコードレス電話機は、電話回線に接続される親機と、該親機と無線通信する機能を有し且つ前記親機に着脱可能に載置されるコードレス通話機とを備えたコードレス電話機において、前記親機と前記コードレス通話機の双方に設けられて電話回線から着信があった場合には着信音が鳴動するスピーカと、前記コードレス通話機が前記親機に載置されていることを検出する検出部と、該検出部が前記コードレス通話機の載置を検出している状態では前記親機と前記コードレス通話機の何れか一方の前記スピーカからの着信音の鳴動を停止する制御部と、を備えていることを特徴とする。
【００１０】
請求項１に記載のコードレス電話機によれば、親機にコードレス通話機が載置されている状態にあるときには、親機とコードレス通話機の何れか一方からのみ着信音が鳴動する。
【００１１】
請求項２に記載のコードレス電話機は、請求項１に記載のコードレス電話機において、前記コードレス通話機は前記親機に接続することで充電される二次電池を備え、前記検出部は前記二次電池への充電接続状態を検出することを特徴とする。
【００１２】
請求項２に記載のコードレス電話機によれば、親機にコードレス通話機が載置されていることをコードレス通話機に対する充電により検出する。
【００１３】
請求項３に記載のコードレス電話機は、電話回線に接続される親機と、該親機と無線通信する機能を有するコードレス通話機とを備えたコードレス電話機において、前記親機と前記コードレス通話機の双方に設けられて電話回線から着信があった場合には着信音が鳴動するスピーカと、前記コードレス通話機が前記親機の近傍に位置していることを検出する検出部と、該検出部が前記コードレス通話機を検出している状態では前記親機と前記コードレス通話機の何れか一方の前記スピーカからの着信音の鳴動を停止する制御部と、を備えていることを特徴とする。
【００１４】
請求項３に記載のコードレス電話機によれば、親機の近傍にコードレス通話機があるときには、親機とコードレス通話機の何れか一方からのみ着信音が鳴動する。
【発明の効果】
【００１５】
請求項１に記載の発明は、親機にコードレス通話機が載置されている状態にあるときには、親機とコードレス通話機の何れか一方からのみ着信音が鳴動することにより、親機とコードレス通話機の双方から着信音を鳴動させることが明らかに必要ない状態での鳴動を規制することができる。
【００１６】
請求項２に記載の発明は、親機にコードレス通話機が載置されていることをコードレス通話機に対する充電により検出することにより、親機とコードレス通話機の双方から着信音を鳴動させることが明らかに必要ない状態を既存の機能を利用して検出することができる。
【００１７】
請求項３に記載の発明は、親機の近傍にコードレス通話機があるときには、親機とコードレス通話機の何れか一方からのみ着信音が鳴動することにより、親機とコードレス通話機の双方から着信音を鳴動させることが明らかに必要ない状態での鳴動を規制することができる。
【発明を実施するための最良の形態】
【００１８】
次に、本発明の一実施形態に係るコードレス電話機について、図面を参照して説明する。尚、本発明の一実施形態に係るコードレス電話機の見掛け上の構成は図５に示したものと同一であり、親機１とコードレス通話機２とを備えている。
【００１９】
また、このコードレス通話機２は、その駆動電源を二次電池として内蔵しており、親機１に載置（載置等を含む）させた状態（図示状態）にあるときに親機１を経由して家庭用電源が二次電池に充電される。尚、親機１は図示しない電話回線と有線若しくは無線で接続されていると共に家庭用電源から電源供給を受けるようになっている。さらに、親機１にＦＡＸ機能やプリンタ機能等を備えたものもここでは含むものとする。
【００２０】
図１はこのような親機１の通信回路構成を示すブロック図、図２はコードレス通話機２の通信回路構成を示すブロック図である。
【００２１】
図１において、３は着信検出回路であり、電話回線Ｌに接続されて着信を検出する。４はネットワーク回路であり、電話回線Ｌに接続されて回線の解放・閉結を行う。
【００２２】
５はチャネル・音声コーデックであり、チャネルコーデック部と音声コーデック部とが１つのＩＣに組み込まれている。チャネルコーデック部は周期検出回路６による公衆用基地局の周期検出以外に電界強度の検出、ＴＤＭＡ／ＴＤＤ（時分割多重接続／時分割複信処理）、ＣＲＣエラーの検出、ＱＰＳＫ方式の復調等を行う。音声コーデック部は音声を圧縮・伸張したり、アナログとディジタルの変換を行う。
【００２３】
７は受信回路であり、アンテナ８を介してコードレス通話機２あるいは公衆用基地局（図示せず）からの電波を受信する。９は送信回路であり、チャネル・音声コーデック５からの信号をアンテナ８を介してコードレス通話機２あるいは公衆用基地局へ発信する。１０はＰＬＬであり、受信回路７と送信回路９の送受信周波数を変える。
【００２４】
１１はマイクロプロセッサからなる制御回路であり、動作のプログラムを記憶したＲＯＭ１２に基づき各部を制御する。１３はＲＡＭであり、制御回路１１の動作に必要な情報を記憶する。１４はベル（スピーカ）であり、着信時に呼出音を出力する。１５は液晶の表示手段であり電話番号などを表示する。１６は入力手段であり電話番号入力や子機を呼び出す操作を行う。１７は充電回路であり親機１の電源である家庭用電源と接続されていると共にコードレス通話機２への充電を行う。また、充電回路１７はコードレス通話機２が親機１に載置されていることをコードレス通話機２と充電回路１７との電気的接続状態の有無により検出する。
【００２５】
尚、親機１には、所謂ハンズフリー機能を具備させても良い。この場合、ネットワーク回路４とチャネル・音声コーデック５との間に制御回路１１で制御される切替回路（図示省略）が設けられると共に、この切替回路にはハンズフリー用のスピーカ（図示省略）とマイクロホン（図示省略）が接続される。そして、充電回路１７からコードレス通話機２を検出しているときや入力手段１６からハンズフリー選択スイッチ（図示せず）等の操作があったときには切替回路によってネットワーク回路４との接続をハンズフリー用のスピーカ・マイクロホン側に切り替え、コードレス通話機２を検出していないときや入力手段１６，３５からハンズフリー選択スイッチ（図示せず）等の操作がないときにはネットワーク回路４との接続がチャネル・音声コーデック５に切り替えられる。
【００２６】
図２において、２１は受信回路であり、アンテナ２２を介して親機１あるいは公衆用基地局からの電波を受信する。２３は送信回路であり、後述のチャネル・音声コーデック２５からの信号をアンテナ２２を介して親機１あるいは公衆用基地局へ発信する。２４はＰＬＬであり、受信回路２１と送信回路２３の送受信周波数を変える。
【００２７】
２５はチャネル・音声コーデックであり、チャネルコーデック部と音声コーデック部が１つのＩＣに組み込まれている。チャネルコーデック部はＴＤＭＡ／ＴＤＤ（時分割多重接続／時分割複信処理）、ＣＲＣエラーの検出、ＱＰＳＫ方式の復調等を行う。音声コーデック部は音声を圧縮・伸張したり、アナログとディジタルの変換を行う。
【００２８】
２６はスピーカであり、増幅回路２７で増幅されたチャネル・音声コーデック２５の電気信号を音声に変換する。２８はマイクロホンであり、音声を電気信号に変換する。２９は増幅回路であり、マイクロホン２８の出力を増幅してチャネル・音声コーデック２５に出力する。
【００２９】
３０はマイクロプロセッサからなる制御回路であり、動作のプログラムを記憶したＲＯＭ３１に基づき各部を制御する。３２はＲＡＭであり、制御回路３０の動作に必要な情報を記憶する。３３はベル（スピーカ）であり、着信時に呼出音を出力する。３４は液晶の表示手段であり、電話番号などを表示する。３５は入力手段であり、電話番号入力や子機を呼び出す操作を行う。３６はコードレス通話機２の駆動電源である充電式の二次電池である。この二次電池３６は親機１の充電回路１７と電気的に接続することで充電される。尚、充電回路１７は二次電池３６の充電量に応じて充電制御を行うが、この充電制御と上述した親機１に対するコードレス通話機２の載置状態とは独立しており、二次電池３６の充電がフルとなっていても親機１にコードレス通話機２が載置されていれば、その載置状態の検出は維持される。
【００３０】
一方、制御回路１１（又は制御回路３０）は、ベル１４（又はベル３３）による着信音の鳴動を制御する。すなわち、親機１にコードレス通話機２が載置されていることを充電回路１７が検出しているときには、電話回線Ｌから着信があっても制御回路１４（又は制御回路３０）は、ベル１４（又はベル３３）からは着信音を鳴動させないように制御する。この際、ベル１４から着信音が鳴動するかベル３３から着信音が鳴動するかは任意であり、自由に切り替え選択設定することができる。尚、親機１とコードレス通話機２の着信音の設定（音質やメロディの設定）は独立して設定可能となっている。
【００３１】
図３は、親機１を鳴動させない場合の鳴動制御例を示すシーケンス図である。図３に示すように、電話回線から着信信号が到来すると親機１の制御回路１１に着信信号が入力され、親機１は着信を検出する。
【００３２】
親機１はコードレス通話機２が親機１に載置されている状態と認識している場合には、着信音を親機１のベル１４から鳴動しないようにしたうえで、無線通信回路を駆動してコードレス通話機２やその他の子機に対して着信信号（ＲＩＮＧ）を無線送信する。
【００３３】
コードレス通話機２は親機１からの着信信号を受信すると、その応答信号（ＡＣＫ）を親機１に送信する。
【００３４】
親機１は、この応答信号を受信すると、通話開始の指示操作に応じて送信される鳴動信号（ＣＡＬＬ）をコードレス通話機２に複数回、例えば、コードレス通話機２から通話要求信号（ＴＥＬ）が親機１に送信された後にその応答信号（ＡＣＫ）がコードレス通話機２に受信されるまで着信音がベル３３から出力される。
【００３５】
そして、コードレス通話機２を使用しての通話が終了し、入力手段３５の操作による通話終了操作に伴って通話終了信号（ＥＮＤ）が親機１に送信された後、親機１から応答信号（ＡＣＫ）が受信されると通話が終了される。
【００３６】
図４は、コードレス通話機２を鳴動させない場合のフロー図である。先ず図４（Ａ）で示す親機１側では、通信回線Ｌからの着信信号の有無が検出され（ステップＳ１）、着信ありの場合にはコードレス通話機２の充電中（充電完了状態を含む）が検出される（ステップＳ２）。
【００３７】
コードレス通話機２が充電中の場合にはコードレス通話機２へと鳴動信号（ＣＡＬＬ）に非鳴動フラグが畳重されて送信され（ステップＳ３）、コードレス通話機２が非充電中の場合にはコードレス通話機２へと鳴動信号（ＣＡＬＬ）のみが送信される（ステップＳ４）。
【００３８】
一方、図４（Ｂ）で示すコードレス通話機２側では、着信信号（ＲＩＮＧ）を受信した後、鳴動信号（ＣＡＬＬ）を受信したか否かが検出され（ステップＳ５）、鳴動信号（ＣＡＬＬ）を受信した場合にはその鳴動信号に非鳴動フラグが畳重されているか否かが検出される（ステップＳ６）。
【００３９】
さらに、非鳴動フラグが畳重されていた場合にはベル３３を鳴動させず（ステップＳ７）、非鳴動フラグが畳重されていない場合にはベル３３を鳴動させる（ステップＳ８）。
【００４０】
尚、コードレス通話機２は通常の子機と同様の外観を呈している場合が多く、コードレス通話機２の充電方法には親機１に載せる場合と、子機用の充電台に載せる場合の二通りが考えられる。
【００４１】
従って、コードレス通話機２とは別に親機１と無線通信可能な子機を備えたコードレス電話機の場合、親機１でのコードレス通話機２の充電状態を検出している際に着信音を鳴動しないようにすると、コードレス通話機２が子機用の充電台にセットされている状態でも着信音が鳴動できなくなってしまう虞がある。
【００４２】
そこで、コードレス通話機２に対する充電状態検出を、親機１で充電しているのか子機用の充電台で充電しているのかを区別するために、例えば、親機１との充電用接続を３端子方式とし、子機用充電台の２端子方式とは区別してコードレス通話機２の制御回路に検出回路を設け、充電中のみならず親機１で充電をしているのか子機用充電台で充電しているのかを認識することも可能である。そして、コードレス通話機２の制御回路３０は親機１で充電している際に親機１から着信信号を受信した場合には着信音をベル３３から鳴動しないよう制御する。
【００４３】
また、親機１がコードレス通話機２の充電状態を検出する場合で、コードレス通話機２とは異なる子機が親機１に載せられている場合を考えると、親機１はコードレス通話機２を充電しているのか子機を充電しているのかが判別不可能であるが、仮にコードレス通話機２でなく子機が充電中の場合に同様の制御を行ったとしても親機１を鳴動させず、子機を鳴動させるようにすることでコードレス通話機２を充電している際と同様に問題点を解決できる。
【００４４】
ところで、上記実施の形態では、親機１にコードレス受話器タイプのコードレス通話機２を着脱可能に載置させ、このコードレス通話機２が親機１に載置されているときには、親機１とコードレス通話機２の何れか一方からのみ着信音を鳴動させるようにしたものを開示したが、親機に受話器を有すると共に、親機と無線通信可能な１台以上の子機とを備えたコードレス電話機において、親機１の近傍に子機の存在を検出しているときには親機と子機の何れか一方からのみ着信音を鳴動させるように構成することも可能である。
【００４５】
この際、子機が親機の近傍にあるか否かの検出は、赤外線センサを親機に設け、その感度設定により子機検出エリアを定めたうえで赤外線センサの検出結果に基づいて鳴動制御を行うようにする。また、複数の子機がある場合には、親機の鳴動規制を優先することにより親機の検出範囲外にある子機の鳴動が規制されるといったことが防止される。
【００４６】
また、上記実施の形態ではコードレス電話機を通常の電話機として説明したが、例えば、ドアフォンといった通信回線（無線を含む）等への適用も可能である。
【図面の簡単な説明】
【００４７】
【図１】本発明のコードレス電話機を示し、親機の通信回路構成を示すブロック図である。
【図２】本発明のコードレス電話機を示し、コードレス通話機の通信回路構成を示すブロック図である。
【図３】親機を鳴動させない場合の鳴動制御例を示すシーケンス図である。
【図４】コードレス通話機を鳴動させない場合のフロー図を示し、（Ａ）は親機側での制御回路のフロー図、（Ｂ）はコードレス通話機側での制御回路のフロー図である。
【図５】コードレス電話機の斜視図である。
【符号の説明】
【００４８】
１…親機
２…コードレス通話機
１１…制御回路（制御部）
１４…ベル（スピーカ）
１７…充電回路（検出部）
３０…制御回路（制御部）
３３…ベル（スピーカ）
３６…二次電池
【図１】
2006080605.tif 000003
【図２】
2006080605.tif 000004
【図３】
2006080605.tif 000005
【図４】
2006080605.tif 000006
【図５】
2006080605.tif 000007